(57)【特許請求の範囲】
【請求項１】
シリアルデータを入力し、予め順序が付与された複数のチャネルのうち何れかのチャネルに前記シリアルデータを供給する多重化装置において、
前記シリアルデータを入力するバッファと、
前記シリアルデータからチャネルを指定する指定信号を検出し、さらに前記シリアルデータを一定長毎に区分するデータ同期信号を検出する検出回路と、
前記検出回路が前記データ同期信号を検出する検出間隔よりも短い一定周期のクロック信号を発生する発振回路と、
前記複数のチャネルのうち最後のチャネルよりも前の各チャネルを前記順序に従って前記検出間隔内に一通り選択する選択回路と
を有しており、
前記選択回路は、前記検出回路による前記データ同期信号の検出時以降における前記クロック信号の最初の立上り時または立下り時から最初のチャネルを選択し、前記一定周期毎に前記各チャネルの選択を切り替え、前記各チャネルに続いて前記最後のチャネルを選択し、前記最初の立上り時または立下り時に前記最初のチャネルに選択を切り替え、
前記バッファは該バッファが入力した前記シリアルデータを前記選択回路に出力し、前記選択回路に出力された前記シリアルデータは、前記選択回路が選択したチャネルであって前記指定信号が示すチャネルに前記一定長毎に供給される
多重化装置。
【請求項２】
前記検出間隔は、前記複数から１だけ小さい値を前記一定周期に乗算した乗算値よりも大きく、前記複数から１だけ大きい値を前記一定周期に乗算した乗算値よりも小さい
請求項１記載の多重化装置。
【請求項３】
前記シリアルデータはフレーム構造を有しており、前記シリアルデータにはフレーム毎に前記指定信号が組み込まれている
請求項１記載の多重化装置。
【請求項４】
前記多重化装置は、前記選択回路から出力された前記シリアルデータを復号化して電話回線に供給すると共に、前記電話回線からのシリアルデータを符号化して前記選択回路に供給する符号化・復号化回路を有する
請求項１記載の多重化装置。
【請求項５】
前記複数は３２であり、
前記一定長は８ビットであり、
前記クロック信号の周波数は２０４８ｋＨｚであり、
前記シリアルデータはパルス符号変調されたデータであり、
前記バッファはサービス総合ディジタル網からのシリアルデータを入力し、
前記サービス総合ディジタル網の通信速度は前記複数のチャネルの通信速度と異なる
請求項１記載の多重化装置。
【発明の詳細な説明】
【０００１】
【発明の属する技術分野】
本発明は、シリアルデータを入力して複数のチャネルのうち何れかのチャネルに供給する多重化装置に関する。
【０００２】
【従来の技術】
図１は、従来の多重化装置の一例を説明するブロック図である。
この多重化装置１００は、符号化・復号化回路（ＣＯＤＥＣ）１１，１２と、選択回路１３と、バッファ１４と、検出回路１５と、計数回路１６と、位相同期ループ（ＰＬＬ：Phase Locked Loop ）回路１７とを有する。ＰＬＬ回路１７は電圧制御発振回路１８を有する。
多重化装置１００は、シリアルデータＩＢＣＨを入力し、予め順序が付与された複数のチャネルＣＨ０〜ＣＨ３１のうち何れかのチャネルに前記シリアルデータＩＢＣＨを供給する。
【０００３】
多重化装置１００は、前記シリアルデータＩＢＣＨを入力するバッファ１４と、前記シリアルデータＩＢＣＨからチャネルを指定する指定信号ＳＣＨを検出し、さらに前記シリアルデータＩＢＣＨを一定長毎たとえば８ビット毎に区分するデータ同期信号を検出する検出回路１５と、前記検出回路１５が前記データ同期信号を検出する検出間隔ＫＰよりも短い周期の発振信号を発生する電圧制御発振回路（ＶＣＯ：Voltage Controlled Oscillator ）１８と、前記複数のチャネルＣＨ０〜ＣＨ３１のうち最後のチャネルＣＨ３１よりも前の各チャネルＣＨ０〜ＣＨ３０を前記順序に従って前記検出間隔ＫＰ内に一通り選択する選択回路１３とを有している。
【０００４】
バッファ１４は、網終端装置３０を介してサービス総合ディジタル網（ＩＳＤＮ：Integrated Services Digital Network ）３５に接続されている。符号３１はチャネルであり、符号３２，３３はＢチャネルであり、符号３４はＤチャネルである。
検出回路１５は、シリアルデータＩＢＣＨからデータ同期信号を検出すると、検出信号ＩＳＹＮＣをＰＬＬ回路１７に出力する。
ＰＬＬ回路１７は、電圧制御発振回路１８からのクロック信号を２５６（＝８×３２）分周する不図示の分周回路を有し、その分周信号は検出信号ＩＳＹＮＣと位相が一致するようにされている。
電圧制御発振回路１８からの発振信号はクロック信号ＰＣＭＣＬＫとして計数回路１６とＣＯＤＥＣ１１，１２等に供給される。
【０００５】
計数回路１６は２５６進カウンタであり、クロック信号ＰＣＭＣＬＫのパルスをカウントし、カウント値に対応するカウント信号ＰＣＭＡを選択回路１３に出力する。
計数回路１６は、カウント値が０〜７の場合は０を示すカウント信号を出力し、カウント値が８〜１５の場合は１を示すカウント信号を出力し、カウント値が１６〜２３の場合は２を示すカウント信号を出力し、カウント値が他の値の場合も同様であり、カウント値が２４８〜２５５の場合は３１を示すカウント信号を出力する。計数回路１６は、カウント値を８で割り算した商を示すカウント信号を出力する。
選択回路１３は、バッファ１４からのシリアルデータＩＢＣＨを端子ＩＮから入力し、検出回路１５からの指定信号ＳＣＨを端子ＳＣから入力し、計数回路１６からのカウント信号ＰＣＭＡを端子ＣＮＴから入力する。
選択回路１３の端子Ｔ０〜Ｔ３１は、前記複数のチャネルＣＨ０〜ＣＨ３１にそれぞれ接続されている。
【０００６】
選択回路１３は、カウント信号ＰＣＭＡが示すカウント値と指定信号ＳＣＨが示すチャネルの番号とが一致している期間に、当該チャネルに対して端子ＩＮに供給されたシリアルデータＩＢＣＨを出力する。
このようにして、バッファ１４からの前記シリアルデータＩＢＣＨは、選択回路１３が選択したチャネルであって前記指定信号ＳＣＨが示すチャネルに前記一定長毎に供給される。シリアルデータＩＢＣＨは、例えば４８ビットで１フレームが構成される。
【０００７】
チャネルＣＨ０にはＣＯＤＥＣ１１が接続されており、ＣＯＤＥＣ１１には選択回路１３からシリアルデータＰＣＭＩＮおよび同期信号ＰＣＭＳＹＮＣが供給される。
ＣＯＤＥＣ１１は、シリアルデータＰＣＭＩＮを復号化して電話回線２に出力する。電話回線２には電話機１が接続されている。
電話機１からの送信信号はＣＯＤＥＣ１１で符号化されてシリアルデータＰＣＭＯＵＴとして選択回路１３に供給され、シリアルデータＰＣＭＯＵＴは網終端回路３０を介してサービス総合ディジタル網３５に供給されるようになっている。
チャネルＣＨ１にはＣＯＤＥＣ１２が接続されており、ＣＯＤＥＣ１２は選択回路１３からのシリアルデータを復号化して電話回線６に出力する。電話回線６にはファクシミリ５が接続されている。
他のチャネルには、ＣＯＤＥＣを介してパーソナルコンピュータを接続する場合がある。
ＣＯＤＥＣ１１，１２は、クロック信号ＰＣＭＣＬＫに同期して動作する。
【０００８】
図２と図３は、図１の多重化装置１００の動作を説明するタイムチャートである。図２において、符号Ｐ０〜Ｐ１４はクロック信号ＰＣＭＣＬＫのパルスであり、クロック信号ＰＣＭＣＬＫの８周期を期間ｔで表す。
符号Ｄ１〜Ｄ８，Ｅ１〜Ｅ８は各々１ビットのデータを示し、期間ｔで８ビットのデータが転送される。
ＣＯＤＥＣ１１には、ＰＬＬ回路１７からクロック信号ＰＣＭＣＬＫが供給され、選択回路１３からシリアルデータＰＣＭＯＵＴとその同期信号ＰＣＭＳＹＮＣが供給される。
ＣＯＤＥＣ１１はクロック信号ＰＣＭＣＬＫを用いてシリアルデータＰＣＭＯＵＴを選択回路１３から入力し、クロック信号ＰＣＭＣＬＫを用いてシリアルデータＰＣＭＩＮを選択回路１３に出力する。
選択回路１３の端子Ｔ０〜Ｔ３１は、シリアルデータＰＣＭＩＮの供給が終わるとオープン状態となるようにしてワイヤードアンド接続できる構成とすることもある。
【０００９】
図３では、カウント信号ＰＣＭＡの値０〜３１の場合に、前記複数のチャネルに対応させてそれぞれＣＨ０〜ＣＨ３１として表している。
検出信号ＩＳＹＮＣとシリアルデータＩＢＣＨの８ビットのデータが同期している。符号ＫＰは検出回路１５がデータ同期信号を検出する検出間隔である。
【００１０】
【発明が解決しようとする課題】
図１の多重化装置１００では、ＰＬＬ回路１７を用いて位相同期を行っているので、構成が複雑で高コストである。
本発明の目的は、ＰＬＬ回路１７が不要な多重化装置を提供することにある。
【００１１】
【課題を解決するための手段】
本発明では、シリアルデータを入力し、予め順序が付与された複数のチャネルのうち何れかのチャネルに前記シリアルデータを供給する多重化装置において、前記シリアルデータを入力するバッファと、前記シリアルデータからチャネルを指定する指定信号を検出し、さらに前記シリアルデータを一定長毎に区分するデータ同期信号を検出する検出回路と、前記検出回路が前記データ同期信号を検出する検出間隔よりも短い一定周期のクロック信号を発生する発振回路と、前記複数のチャネルのうち最後のチャネルよりも前の各チャネルを前記順序に従って前記検出間隔内に一通り選択する選択回路とを有しており、前記選択回路は、前記検出回路による前記データ同期信号の検出時以降における前記クロック信号の最初の立上り時または立下り時から最初のチャネルを選択し、前記一定周期毎に前記各チャネルの選択を切り替え、前記各チャネルに続いて前記最後のチャネルを選択し、前記最初の立上り時または立下り時に前記最初のチャネルに選択を切り替え、前記バッファは該バッファが入力した前記シリアルデータを前記選択回路に出力し、前記選択回路に出力された前記シリアルデータは、前記選択回路が選択したチャネルであって前記指定信号が示すチャネルに前記一定長毎に供給される。
【００１２】
本発明の多重化装置は、好適には、前記検出間隔は、前記複数から１だけ小さい値を前記一定周期に乗算した乗算値よりも大きく、前記複数から１だけ大きい値を前記一定周期に乗算した乗算値よりも小さい。
【００１３】
前記選択回路は、前記検出回路による前記データ同期信号の検出時以降における前記クロック信号の最初の立上り時または立下り時から最初のチャネルを選択する。
そして、前記選択回路は、前記一定周期毎に前記各チャネルの選択を切り替える。各チャネルは予め付された順序に従って選択される。
前記バッファからの前記シリアルデータは、前記選択回路で選択されたチャネルであって前記指定信号が示すチャネルに前記一定長毎に供給される。
【００１４】
【発明の実施の形態】
以下、本発明の実施形態を添付図面を参照して説明する。
図４は、本発明の多重化装置の一例を示すブロック図である。
この多重化装置１０は、シリアルデータＩＢＣＨを入力し、予め順序が付与された複数のチャネルＣＨ０〜ＣＨ３１のうち何れかのチャネルに前記シリアルデータＩＢＣＨを供給する。
【００１５】
多重化装置１０は、前記シリアルデータＩＢＣＨを入力するバッファ１４と、前記シリアルデータＩＢＣＨからチャネルを指定する指定信号ＳＣＨを検出し、さらに前記シリアルデータＩＢＣＨを一定長毎に区分するデータ同期信号を検出する検出回路１５と、前記検出回路１５が前記データ同期信号を検出する検出間隔ＫＰよりも短い一定周期Ｔのクロック信号ＰＣＭＣＬＫを発生する発振回路２１と、前記複数のチャネルＣＨ０〜ＣＨ３１のうち最後のチャネルＣＨ３１よりも前の各チャネルＣＨ０〜ＣＨ３０を前記順序に従って前記検出間隔ＫＰ内に一通り選択する選択回路１３とを有する。
前記選択回路１３は、前記検出回路１３による前記データ同期信号の検出時以降における前記クロック信号ＰＣＭＣＬＫの最初の立上り時または立下り時から最初のチャネルＣＨ０を選択し、前記一定周期Ｔ毎に前記各チャネルＣＨ０〜ＣＨ３０の選択を切り替える。
前記バッファ１４は前記選択回路１３に前記シリアルデータＩＢＣＨを出力し、前記選択回路１３に出力された前記シリアルデータＩＢＣＨは、前記選択回路１３が選択したチャネルであって前記指定信号ＳＣＨが示すチャネルに前記一定長毎に例えば８ビット毎に供給される。
【００１６】
前記選択回路１３は、前記各チャネルＣＨ０〜ＣＨ３０に続いて前記最後のチャネルＣＨ３１を選択し、前記最初の立上り時または立下り時に前記最初のチャネルＣＨ０に選択を切り替える。
前記検出間隔ＫＰを前記一定周期Ｔで割り算した商は、前記複数または前記複数よりも１だけ小さい値である。商は、例えば３２または３１である。
前記検出間隔ＫＰは、前記複数から１だけ小さい値を前記一定周期Ｔに乗算した乗算値よりも大きく、前記複数から１だけ大きい値を前記一定周期Ｔに乗算した乗算値よりも小さい。
前記シリアルデータＩＢＣＨはフレーム構造を有しており、前記シリアルデータＩＢＣＨにはフレーム毎に前記指定信号ＳＣＨが組み込まれている。シリアルデータＩＢＣＨは、４８ビットで１フレームを構成してもよい。
【００１７】
多重化装置１０は、前記選択回路１３から出力された前記シリアルデータＩＢＣＨを復号化して電話回線２，６に供給すると共に、電話回線２，６からのシリアルデータを符号化して前記選択回路１３に供給する符号化・復号化回路（ＣＯＤＥＣ）１１，１２を有する。
前記クロック信号ＰＣＭＣＬＫの周波数は、例えば２０４８ｋＨｚとする。
多重化装置１０は、サービス総合ディジタル網３５からのシリアルデータＩＢＣＨを入力する。
【００１８】
バッファ１４は、網終端装置３０を介してサービス総合ディジタル網（ＩＳＤＮ）３５に接続されている。符号３１はチャネルであり、符号３２，３３はＢチャネルであり、符号３４はＤチャネルである。バッファ１４は、８ビット毎にシリアルデータＩＢＣＨを入出力する。
検出回路１５は、シリアルデータＩＢＣＨからデータ同期信号を検出すると、検出信号ＩＳＹＮＣを計数回路２２に出力する。
発振回路２１からの発振信号はクロック信号ＰＣＭＣＬＫとして計数回路２２とＣＯＤＥＣ１１，１２等に供給される。
【００１９】
計数回路２２は２５６進カウンタを有しており、クロック信号ＰＣＭＣＬＫのパルスをカウントし、カウント値に対応するカウント信号ＰＣＭＢを選択回路１３に出力する。
計数回路２２は、カウント値が０〜７の場合は０を示すカウント信号を出力し、カウント値が８〜１５の場合は１を示すカウント信号を出力し、カウント値が１６〜２３の場合は２を示すカウント信号を出力し、カウント値が他の値の場合も同様であり、カウント値が２４８〜２５５の場合は３１を示すカウント信号を出力する。計数回路２２は、カウント値を８で割り算した商を示すカウント信号を出力する。
選択回路１３は、バッファ１４からのシリアルデータＩＢＣＨを端子ＩＮから入力し、検出回路１５からの指定信号ＳＣＨを端子ＳＣから入力し、計数回路２２からのカウント信号ＰＣＭＢを端子ＣＮＴから入力する。
選択回路１３の端子Ｔ０〜Ｔ３１は、前記複数のチャネルＣＨ０〜ＣＨ３１にそれぞれ接続されている。
【００２０】
選択回路１３は、カウント信号ＰＣＭＢが示すカウント値と指定信号ＳＣＨが示すチャネルの番号とが一致している期間に、当該チャネルに対して端子ＩＮに供給されたシリアルデータＩＢＣＨを出力する。
このようにして、バッファ１４からの前記シリアルデータＩＢＣＨは、選択回路１３が選択したチャネルであって前記指定信号ＳＣＨが示すチャネルに前記一定長毎に供給される。
【００２１】
チャネルＣＨ０にはＣＯＤＥＣ１１が接続されており、ＣＯＤＥＣ１１には選択回路１３からシリアルデータＰＣＭＩＮおよび同期信号ＰＣＭＳＹＮＣが供給される。
ＣＯＤＥＣ１１は、シリアルデータＰＣＭＩＮを復号化して電話回線２に出力する。電話回線２には電話機１が接続されている。
電話機１からの送信信号はＣＯＤＥＣ１１で符号化されてシリアルデータＰＣＭＯＵＴとして選択回路１３に供給され、シリアルデータＰＣＭＯＵＴは網終端回路３０を介してサービス総合ディジタル網３５に供給されるようになっている。
チャネルＣＨ１にはＣＯＤＥＣ１２が接続されており、ＣＯＤＥＣ１２は選択回路１３からのシリアルデータを復号化して電話回線６に出力する。電話回線６にはファクシミリ５が接続されている。
ＣＯＤＥＣ１１，１２は、クロック信号ＰＣＭＣＬＫに同期して動作する。
【００２２】
図５と図６は、図４の多重化装置１０の動作を説明するタイムチャートである。
図中のＰＣＭＢ▲１▼は、一定周期Ｔの３２倍と検出間隔ＫＰとが等しい理想的な場合のカウント信号ＰＣＭＢを示している。
図中のＰＣＭＢ▲２▼は、一定周期Ｔの３２倍と検出間隔ＫＰとが異なる現実的な場合のカウント信号ＰＣＭＢを示しており、３２×Ｔ＞ＫＰとなっている。
図中のＰＣＭＢ▲３▼は、一定周期Ｔの３２倍と検出間隔ＫＰとが異なる現実的な場合のカウント信号ＰＣＭＢを示しており、３２×Ｔ＜ＫＰとなっている。
検出間隔ＫＰは、季節や時刻等の要因で変動することがある。
【００２３】
図５と図６では、カウント信号ＰＣＭＢの値が０〜３１の場合に、前記複数のチャネルに対応させてそれぞれＣＨ０〜ＣＨ３１として表している。
検出信号ＩＳＹＮＣとシリアルデータＩＢＣＨの８ビットのデータが同期している。
【００２４】
図５において、カウント信号ＰＣＭＢの値が３１である期間ＴＳが一定期間Ｔよりも短い。
また、検出信号ＩＳＹＮＣの立上り時からカウント信号ＰＣＭＢの値を０にリセットしている。
これは、検出信号ＩＳＹＮＣの立上り時とクロック信号ＰＣＭＣＬＫの立上りが一致している場合である。
検出信号ＩＳＹＮＣの立上り時とクロック信号ＰＣＭＣＬＫの立上りが一致してない場合は、検出信号ＩＳＹＮＣの立上り時以降におけるクロック信号ＰＣＭＣＬＫの最初の立上り時に、カウント信号ＰＣＭＢの値を０にリセットする。
その後は、一定周期Ｔ毎にカウント信号ＰＣＭＢの値を１づつ増加させる。
【００２５】
図６において、カウント信号ＰＣＭＢの値が３１である期間ＴＬが一定期間Ｔよりも長い。
また、検出信号ＩＳＹＮＣの立上り時からカウント信号ＰＣＭＢの値を０にリセットしている。
これは、検出信号ＩＳＹＮＣの立上り時とクロック信号ＰＣＭＣＬＫの立上りが一致している場合である。
検出信号ＩＳＹＮＣの立上り時とクロック信号ＰＣＭＣＬＫの立上りが一致してない場合は、検出信号ＩＳＹＮＣの立上り時以降におけるクロック信号ＰＣＭＣＬＫの最初の立上り時に、カウント信号ＰＣＭＢの値を０にリセットする。
その後は、一定周期Ｔ毎にカウント信号ＰＣＭＢの値を１づつ増加させる。
【００２６】
計数回路２２の構成としては、カウント信号ＰＣＭＢの値が３１の時にハイレベルである信号と、検出信号ＩＳＹＮＣと、クロック信号ＰＣＭＣＬＫとの論理積（ＡＮＤ）を演算する論理積回路を備え、当該論理積回路の出力がハイレベルの場合に、カウント信号ＰＣＭＢの値を０にリセットすると共に、計数回路２２のカウント値を０にリセットすればよい。検出信号ＩＳＹＮＣは、一例として一定周期Ｔの２倍程度だけハイレベルとする。
【００２７】
このように、多重化装置１０では、チャネルＣＨ３１を位相調整のために用いている。
サービス総合ディジタル網３５のＢチャネル３２，３３からシリアルデータを入力する場合、その通信速度は６４ｋｂｐｓ（６４０００ビット／秒）であり、サービス総合ディジタル網３５またはこれに接続された送信側の装置は６４ｋＨｚのクロック信号を用いて動作する。
一方、多重化装置１０は、チャネルＣＨ０〜ＣＨ３１の通信速度は２０４８ｋｂｐｓであり、２０４８ｋＨｚのクロック信号ＰＣＭＣＬＫを用いて動作する。
この２つのクロック信号は、互いに異なる発振回路を発振源とする。
【００２８】
このため、図５と図６のタイムチャートに示したように、検出間隔ＫＰと一定周期Ｔの３２倍とが一致しない場合が発生し得るが、多重化装置１０によってチャネルＣＨ０〜ＣＨ３０に対しては確実に一定時間Ｔを割り当てることができ、各チャネルＣＨ０〜ＣＨ３０に対してクロック信号ＰＣＭＣＬＫの８個のパルスを割り当てることができる。
このようにして、サービス総合ディジタル網３５で使用されるクロック信号に対して位相を同期させるためのＰＬＬ回路が不要な多重化装置１０を形成することができる。
【００２９】
本実施の形態の多重化装置１０では、クロック信号ＰＣＭＣＬＫの周波数を２０４８ｋＨｚとし、サービス総合ディジタル網３５等で用いられるクロック信号の周波数６４ｋＨｚの３２倍としているため、合計３１のデータ転送用チャネルを確保することができる。
クロック信号ＰＣＭＣＬＫの周波数として他の周波数を用いて、チャネル数を他の値にしてもよい。
例えばクロック信号ＰＣＭＣＬＫの周波数を１５３６ｋＨｚとし、複数のチャネルを２４のチャネルとし、計数回路２２に１９２進カウンタを備え、２４番目のチャネルを位相調整用に用いてもよい。
【００３０】
サービス総合ディジタル網３５からのシリアルデータＩＢＣＨは、電話機１に対しては、一例としてパルス符号変調（ＰＣＭ：Pulse Code Modulation ）された音声データとしてもよい。
サービス総合ディジタル網３５からのシリアルデータＩＢＣＨは、ファクシミリ５に対しては、一例としてパルス符号変調された画像データとしてもよい。
電話機１に代えてファクシミリを電話回線２に接続してもよい。
なお、上記実施の形態は本発明の一例であり、本発明は上記実施形態に限定されない。
【００３１】
【発明の効果】
本発明によれば、ＰＬＬ回路が不要な多重化装置を提供することができる。
ＰＬＬ回路には電圧制御発振回路と位相比較回路と低域通過フィルタ等が必要であるが、本発明の多重化装置では一定周期の発振信号を出力する簡単な構成の発振回路を用いることができるので、多重化装置のコストを低減することができ、多重化装置を小型にすることができる。
【図面の簡単な説明】
【図１】従来の多重化装置の一例を説明するブロック図である。
【図２】図１の多重化装置の動作を説明するタイムチャートである。
【図３】図１の多重化装置の動作を説明するタイムチャートである。
【図４】本発明の多重化装置の一例を説明するブロック図である。
【図５】図４の多重化装置の動作を説明するタイムチャートである。
【図６】図４の多重化装置の動作を説明するタイムチャートである。
【符号の説明】
１…電話機（Ｔ）、２，６…電話回線、５…ファクシミリ（Ｆ）、１０，１００…多重化装置、１１，１２…符号化・復号化回路（ＣＯＤＥＣ）、１３…選択回路（ＳＥＬ）、１４…バッファ（ＢＦ）、１５…検出回路、１６，２２…計数回路、１７…位相同期ループ回路（ＰＬＬ回路）、１８…電圧制御発振回路（ＶＣＯ）、２１…発振回路（ＣＬＫ）、３０…網終端装置（ＮＴ）、３１…チャネル、３２，３３…Ｂチャネル、３４…Ｄチャネル、３５…サービス総合ディジタル網（ＩＳＤＮ）、ＣＨ０〜ＣＨ３１…チャネル、ＩＢＣＨ…シリアルデータ、ＩＳＹＮＣ…検出信号、ＫＰ…検出間隔、ＰＣＭＣＬＫ…クロック信号、ＰＣＭＳＹＮＣ…同期信号、ＳＣＨ…指定信号。
【図１】
0003921814.tif 000002
【図２】
0003921814.tif 000003
【図３】
0003921814.tif 000004
【図４】
0003921814.tif 000005
【図５】
0003921814.tif 000006
【図６】
0003921814.tif 000007